【手続補正書】
【提出日】平成30年12月11日(2018.12.11)
【手続補正１】
【補正対象書類名】特許請求の範囲
【補正対象項目名】全文
【補正方法】変更
【補正の内容】
【特許請求の範囲】
【請求項１】
ポータブルユーザデバイスを動作させて、演奏されている歌を識別するステップと、
前記ポータブルユーザデバイスを動作させて、ユーザが、前記演奏されている歌の音量を増加させたかどうかを検出するステップと、
前記ユーザが、前記演奏されている歌の音量を増加させたかどうかに少なくとも一部基づいて、前記歌に対するリスニングメトリックを決定するステップと、
前記歌に対する前記決定された前記リスニングメトリックに基づいて、前記歌に対するリスニングメトリックデータベースエントリを更新するステップと、
前記歌に対する前記リスニングメトリックに少なくとも一部基づいて、歌推奨を生成するステップと
を備えることを特徴とする方法。
【請求項２】
歌推奨を生成する前記ステップは、前記リスニングメトリックデータベースにおいて最も高いトータルリスニングメトリックを有する歌の中から、歌のプレイリストを生成することを含むことを特徴とする請求項１に記載の方法。
【請求項３】
前記ユーザについての前記プレイリストを演奏するステップをさらに備えることを特徴とする請求項２に記載の方法。
【請求項４】
前記リスニングメトリックデータベースエントリは、前記歌に対するトータルリスニングメトリックであって、前記リスニングメトリックを更新する前記ステップは、前記決定されたリスニングメトリックを前記トータルリスニングメトリックに追加することを含むことを特徴とする請求項１乃至３いずれかに記載の方法。
【請求項５】
演奏されている前記歌を識別する前記ステップは、
マイクロフォンを動作させて、オーディオ信号を検出するステップと、
前記検出されたオーディオ信号からサンプルオーディオフィンガプリントを生成するステップと、
前記サンプルオーディオフィンガプリントを、ストアされたオーディオフィンガプリントのデータベースと比較するステップと
を含むことを特徴とする請求項１に記載の方法。
【請求項６】
前記ポータブルユーザデバイスを動作させて、ユーザが、前記演奏されている歌の音量を増加させたかどうかを検出する前記ステップは、前記マイクロフォンにおいて到達する前記歌のサウンドレベルにおける増加を検出することを含むことを特徴とする請求項５に記載の方法。
【請求項７】
演奏されている前記歌を識別する前記ステップは、
前記ポータブルユーザデバイスと第２のユーザデバイスが互いに近接していることを決定するステップと、
前記ポータブルユーザデバイス上の第１のマイクロフォンを動作させて、第１のオーディオ信号を検出するステップと、
前記第２のユーザデバイス上の第２のマイクロフォンを動作させて、第２のオーディオ信号を検出するステップと、
前記第１のオーディオ信号から第１のオーディオフィンガプリントを生成するステップと、
前記第２のオーディオ信号から第２のオーディオフィンガプリントを検出するステップと、
前記第１のオーディオフィンガプリントおよび前記第２のオーディオフィンガプリントを、ストアされたオーディオフィンガプリントのデータベースと比較するステップと
を含むことを特徴とする請求項１に記載の方法。
【請求項８】
前記第１のオーディオフィンガプリントおよび前記第２のオーディオフィンガプリントを、ストアされたオーディオフィンガプリントのデータベースと比較する前記ステップは、
前記第１のオーディオフィンガプリントと前記第２のオーディオフィンガプリントとを合成して、合成されたオーディオフィンガプリントを生成するステップと、
前記合成されたオーディオフィンガプリントを、ストアされたオーディオフィンガプリントのデータベースと比較するステップと
を含むことを特徴とする請求項７に記載の方法。
【請求項９】
前記歌は、前記ポータブルユーザデバイスによって演奏されており、前記ポータブルユーザデバイスを動作させて、ユーザが、前記演奏されている歌の音量を増加させたかどうかを検出する前記ステップは、前記ポータブルユーザデバイス上の音量ボタンとの前記ユーザの相互作用を検出することを含むことを特徴とする請求項１乃至４いずれかに記載の方法。
【請求項１０】
ポータブルユーザデバイスを動作させて、演奏されている歌を識別するステップと、
前記ポータブルユーザデバイスの加速度計を動作させて、ユーザが前記歌に合わせて動いているかどうかを決定するステップと、
前記ユーザが前記歌に合わせて動いているかどうかに少なくとも一部基づいて、前記歌に対するリスニングメトリックを決定するステップと、
前記歌に対する前記決定された前記リスニングメトリックに基づいて、前記歌に対するリスニングメトリックデータベースエントリを更新するステップと、
前記歌に対する前記リスニングメトリックに少なくとも一部基づいて、歌推奨を生成するステップと
を備えることを特徴とする方法。
【請求項１１】
歌推奨を生成する前記ステップは、前記リスニングメトリックデータベースにおいて最も高いトータルリスニングメトリックを有する歌の中から、歌のプレイリストを生成することを含むことを特徴とする請求項１０に記載の方法。
【請求項１２】
前記ユーザについての前記プレイリストを演奏するステップをさらに備えることを特徴とする請求項１１に記載の方法。
【請求項１３】
前記リスニングメトリックデータベースエントリは、前記歌に対するトータルリスニングメトリックであって、前記リスニングメトリックを更新する前記ステップは、前記決定されたリスニングメトリックを前記トータルリスニングメトリックに追加することを含むことを特徴とする請求項１０乃至１２いずれかに記載の方法。
【請求項１４】
演奏されている前記歌を識別する前記ステップは、
マイクロフォンを動作させて、オーディオ信号を検出するステップと、
前記検出されたオーディオ信号からサンプルオーディオフィンガプリントを生成するステップと、
前記サンプルオーディオフィンガプリントを、ストアされたオーディオフィンガプリントのデータベースと比較するステップと
を含むことを特徴とする請求項１０乃至１３いずれかに記載の方法。
【請求項１５】
演奏されている前記歌を識別する前記ステップは、
前記ポータブルユーザデバイスと第２のユーザデバイスが互いに近接していることを決定するステップと、
前記ポータブルユーザデバイス上の第１のマイクロフォンを動作させて、第１のオーディオ信号を検出するステップと、
前記第２のユーザデバイス上の第２のマイクロフォンを動作させて、第２のオーディオ信号を検出するステップと、
前記第１のオーディオ信号から第１のオーディオフィンガプリントを生成するステップと、
前記第２のオーディオ信号から第２のオーディオフィンガプリントを検出するステップと、
前記第１のオーディオフィンガプリントおよび前記第２のオーディオフィンガプリントを、ストアされたオーディオフィンガプリントのデータベースと比較するステップと
を含むことを特徴とする請求項１０に記載の方法。
【請求項１６】
ポータブルユーザデバイスを動作させて、演奏されている歌を識別するステップと、
前記ポータブルユーザデバイスのマイクロフォンを動作させて、ユーザが前記歌に合わせて歌っているかどうかを決定するステップと、
前記ユーザが前記歌に合わせて歌っているかどうかに少なくとも一部基づいて、前記歌に対するリスニングメトリックを決定するステップと、
前記歌に対する前記決定された前記リスニングメトリックに基づいて、前記歌に対するリスニングメトリックデータベースエントリを更新するステップと、
前記歌に対する前記リスニングメトリックに少なくとも一部基づいて、歌推奨を生成するステップと
を備えることを特徴とする方法。
【請求項１７】
歌推奨を生成する前記ステップは、前記リスニングメトリックデータベースにおいて最も高いトータルリスニングメトリックを有する歌の中から、歌のプレイリストを生成することを含むことを特徴とする請求項１６に記載の方法。
【請求項１８】
前記ユーザについての前記プレイリストを演奏するステップをさらに備えることを特徴とする請求項１７に記載の方法。
【請求項１９】
前記リスニングメトリックデータベースエントリは、前記歌に対するトータルリスニングメトリックであって、前記リスニングメトリックを更新する前記ステップは、前記決定されたリスニングメトリックを前記トータルリスニングメトリックに追加することを含むことを特徴とする請求項１６乃至１８いずれかに記載の方法。
【請求項２０】
演奏されている前記歌を識別する前記ステップは、
マイクロフォンを動作させて、オーディオ信号を検出するステップと、
前記検出されたオーディオ信号からサンプルオーディオフィンガプリントを生成するステップと、
前記サンプルオーディオフィンガプリントを、ストアされたオーディオフィンガプリントのデータベースと比較するステップと
を含むことを特徴とする請求項１６乃至１９いずれかに記載の方法。